(57)【要約】【課題】  身長の大きい人であっても、掛布団から足部が露出してしまうなどの不具合を回避するとともに、違和感を生じること無く、掛布団本来の良好な使用感を確保する。【解決手段】  袋状に形成することにより内部に掛布団Ｆを収容する少なくともカバー本体部２を備える掛布団カバー１を構成するに際し、カバー本体部２の少なくとも足部側に位置する下辺部２ｄに対して一体又は着脱可能な下連結部３を介して連結するとともに、袋状に形成することにより内部に掛布団Ｆよりも小さい第二掛布団Ｆｍを収容可能に構成し、カバー本体部２に対して１０〜７０〔ｃｍ〕の範囲に選定した長さＬｍを下方へ延長可能な下補助カバー部４を備える。【選択図】  図１
2020198952.tif 000002
【特許請求の範囲】
【請求項１】
少なくとも袋状に形成することにより内部に掛布団を収容するカバー本体部を備える掛布団カバーにおいて、前記カバー本体部の少なくとも足部側に位置する下辺部に対して一体又は着脱可能な下連結部を介して連結するとともに、袋状に形成することにより内部に前記掛布団よりも小さい第二掛布団を収容可能に構成し、前記カバー本体部に対して１０〜７０〔ｃｍ〕の範囲に選定した長さを下方へ延長可能な下補助カバー部を備えることを特徴とする掛布団カバー。
【請求項２】
前記下補助カバー部は、当該下補助カバー部の下辺部に、シート状に形成した下フラップ部を備えることを特徴とする請求項１記載の掛布団カバー。
【請求項３】
前記カバー本体部は、当該カバー本体部の左辺部及び右辺部に、シート状に形成した左フラップ部及び右フラップ部を備えることを特徴とする請求項１記載の掛布団カバー。
【請求項４】
前記カバー本体部は、当該カバー本体部の上辺部に対して一体又は着脱可能な上連結部を介して連結するとともに、袋状に形成することにより内部に前記掛布団よりも小さい第三掛布団を収容可能に構成し、前記カバー本体部に対して１０〜３０〔ｃｍ〕の範囲に選定した長さを上方へ延長可能な上補助カバー部を備えることを特徴とする請求項１記載の掛布団カバー。
【請求項５】
前記上補助カバー部は、左右に離間して配することにより両肩をそれぞれ覆う一対の分割カバー部により構成することを特徴とする請求項４記載の掛布団カバー。
【請求項６】
前記上補助カバー部は、襟部の機能を兼用することを特徴とする請求項４又は５記載の掛布団カバー。
【請求項７】
前記カバー本体部は、上下方向へ複数の袋部を連結して構成することを特徴とする請求項１記載の掛布団カバー。
【発明の詳細な説明】
【技術分野】
【０００１】
本発明は、袋状に形成することにより内部に掛布団を収容する少なくともカバー本体部を備える掛布団カバーに関する。
【背景技術】
【０００２】
一般に、掛布団を収容する袋状に形成した掛布団カバーは広く普及しているとともに、一方において、一般的な掛布団カバーに対し、追加的な機能を付加することにより、より付加価値を高めた掛布団カバーも各種提案されている。
【０００３】
従来、この種の掛布団カバーとしては、特許文献１に開示される襟部二段重ね布団カバー，特許文献２に開示される掛け布団カバー及び特許文献３に開示される布団カバーが知られている。特許文献１に記載される襟部二段重ね布団カバーは、首もとや肩口と、掛け布団との間の隙間を防ぐ掛け布団カバーの提供を目的としたものであり、具体的には、掛け布団カバー本体（の裏面頭部側）にもう一つの布団カバーを設け、この布団カバーは、本体カバーの襟部側から足下方向ヘ一定の長さで設けたものである。
【０００４】
また、特許文献２に記載される掛け布団カバーは、使用者の肩の露出を防止することを目的としたものであり、具体的には、掛け布団が収容され使用者に掛けられて使用される掛け布団カバーであって、掛け布団が収容される本体部と、本体部のうちの首側縁部（使用者の首の側の縁部）に対して着脱可能に取り付けられ、毛布、タオルケット又はその他の布材から形成される肩掛け部とを有し、肩掛け部を本体部に対して着脱可能に取り付けるためのファスナは、本体部の一対の遮蔽部等によって遮蔽されるように構成したものである。
【０００５】
さらに、特許文献３に記載される布団カバーは、実用性の高い布団カバーの提供を目的としたものであり、具体的には、第１分割カバーと第２分割カバーとに分割され、それら第１分割カバーと第２分割カバーとが、上面側ファスナーおよび下面側ファスナーによって連結され、これにより、布団カバーを分割して洗濯することが可能となり、容易に洗濯することが可能にするとともに、第ｌ分割カバーと第２分割カバーとのうち、汚れのひどい方のみを洗濯することが可能となるように構成したものである。加えて、第ｌ分割カバー若しくは、第２分割カバーを引っ張るだけで、布団から取り外すことが可能となり、布団カバーの布団からの取り外しが楽に行えるようにするとともに、第１分割カバー若しくは第２分割カバーを、布団の長手方向の端部に被せるだけで、布団カバーを布団に取り付けることが可能となるようにしたものである。
【先行技術文献】
【特許文献】
【０００６】
【特許文献１】特開２０１０−２５９７６０号公報
【特許文献２】特開２０１４−０６８９５９号公報
【特許文献３】実用新案登録第３１８８６５６号公報
【発明の概要】
【発明が解決しようとする課題】
【０００７】
しかし、上述した各種掛布団カバーをはじめ、従来の掛布団カバーは、次のような問題点があった。
【０００８】
第一に、追加のカバーは、掛布団カバーの上端側（頭部側）に追加するものであり、主に、首もとや肩口の隙間を防いだり、肩の露出を防止したり、或いは汚れ易い部位の洗濯を容易にするなどの目的がほとんどである。このため、掛布団カバーの上端側に結合部分等が存在することになり、例えば、掛け布団を深く被ったような場合には、違和感が生じ易くなり、掛布団本来の良好な使用感を損なう虞れがある。
【０００９】
第二に、追加に伴う機能は、単一目的となる単一機能がほとんどである。したがって、良好なコストパフォーマンスを確保する観点からは、必ずしも十分とは言い難く、多機能性及び多様性を高めた掛布団カバー、即ち、コストパフォーマンスのより高い掛布団カバーを提供する観点からは更なる改善の余地があった。
【００１０】
本発明は、このような背景技術に存在する課題を解決した掛布団カバーの提供を目的とするものである。
【課題を解決するための手段】
【００１１】
本発明は、上述した課題を解決するため、袋状に形成することにより内部に掛布団Ｆを収容する少なくともカバー本体部２を備える掛布団カバー１を構成するに際して、カバー本体部２の少なくとも足部側に位置する下辺部２ｄに対して一体又は着脱可能な下連結部３を介して連結するとともに、袋状に形成することにより内部に掛布団Ｆよりも小さい第二掛布団Ｆｍを収容可能に構成し、カバー本体部２に対して１０〜７０〔ｃｍ〕の範囲に選定した長さＬｍを下方へ延長可能な下補助カバー部４を備えることを特徴とする。
【００１２】
この場合、発明の好適な態様により、下補助カバー部４には、当該下補助カバー部４の下辺部４ｄに、シート状に形成した下フラップ部１１を設けることができる。また、カバー本体部２には、当該カバー本体部２の左辺部２ｐ及び右辺部２ｑに、シート状に形成した左フラップ部１２ｐ及び右フラップ部１２ｑを設けることができる。さらに、カバー本体部２には、当該カバー本体部２の上辺部２ｕに対して一体又は着脱可能な上連結部１３を介して連結するとともに、袋状に形成することにより内部に掛布団Ｆよりも小さい第三掛布団Ｆｓを収容可能に構成し、カバー本体部に対して１０〜３０〔ｃｍ〕の範囲に選定した長さＬｓを上方へ延長可能な上補助カバー部１４を設けることができる。この際、上補助カバー部１４は、左右に離間して配することにより両肩をそれぞれ覆う一対の分割カバー部１４ｐ，１４ｑにより構成することができるとともに、襟部１５（１５ｕ）の機能を兼用させることができる。他方、カバー本体部２を構成するに際しては、上下方向へ複数の袋部１６，１６…を連結して構成することができる。
【発明の効果】
【００１３】
このような構成を有する本発明に係る掛布団カバー１によれば、次のような顕著な効果を奏する。
【００１４】
（１）  カバー本体部２の少なくとも足部側に位置する下辺部２ｄに対して一体又は着脱可能な下連結部３を介して連結するとともに、袋状に形成することにより内部に掛布団Ｆよりも小さい第二掛布団Ｆｍを収容可能に構成し、カバー本体部２に対して１０〜７０〔ｃｍ〕の範囲に選定した長さＬｍを下方へ延長可能な下補助カバー部４を備えるため、身長の大きい人，或いは掛け布団を深く被った場合などであっても、掛布団から足部が露出してしまうなどの不具合を回避できるとともに、加えて、掛布団カバーの上端側（頭部側）には結合部分が存在しないため、使用時に生じる違和感を大きく減じることができ、掛布団本来の良好な使用感を確保できる。
【００１５】
（２）  好適な態様により、下補助カバー部４に、当該下補助カバー部４の下辺部４ｄに結合し、かつシート状に形成した下フラップ部１１を設ければ、下補助カバー部４の機能に加えて下フラップ部１１の機能により、下補助カバー部４の下辺部４ｄよりも下方に生じる無用な隙間の発生防止、或いは下フラップ部１１をマットレスの下に挟み込むなどにより下補助カバー部４の位置ズレ防止等に利用できる。したがって、多機能性及び多様性をより高めることができるなど、コストパフォーマンスの高い掛布団カバー１を提供できる。
【００１６】
（３）  好適な態様により、カバー本体部２に、当該カバー本体部２の左辺部２ｐ及び右辺部２ｑに結合し、かつシート状に形成した左フラップ部１２ｐ及び右フラップ部１２ｑを設ければ、カバー本体部２の左方及び右方に生じる無用な隙間の発生防止、或いは左フラップ部１２ｐ及び右フラップ部１２ｑをマットレスの下に挟み込むなどによりカバー本体部２の位置ズレ防止等に利用できるため、使用時における保温性（冷気進入防止）をより高めることができるなど、更なる多機能性及び多様性の向上に寄与できる。
【００１７】
（４）  好適な態様により、カバー本体部２に、当該カバー本体部２の上辺部２ｕに対して一体又は着脱可能な上連結部１３を介して連結するとともに、袋状に形成することにより内部に掛布団Ｆよりも小さい第三掛布団Ｆｓを収容可能に構成し、カバー本体部に対して１０〜３０〔ｃｍ〕の範囲に選定した長さＬｓを上方へ延長可能な上補助カバー部１４を設ければ、必要に応じて、従来の追加カバーと同様の肩部から頭部側に対する機能を付加することができるとともに、特に、柔軟性の高い薄目の第三掛布団Ｆｓを使用するなどにより、首部の回りをＵ状に覆うことができる。
【００１８】
（５）  好適な態様により、上補助カバー部１４を、左右に離間して配することにより両方の肩部をそれぞれ覆う一対の分割カバー部１４ｐ，１４ｑにより構成すれば、首部の部位をそのままカバー本体部２に使用し、その両側に一対の離間した分割カバー部１４ｐ，１４ｑを配することができるため、当該分割カバー部１４ｐ，１４ｑにより肩部のみの露出を有効に防止でき、使用時における肩部の保温性を確保しつつ違和感を回避することができる。
【００１９】
（６）  好適な態様により、上補助カバー部１４に、襟部１５（１５ｕ）の機能を兼用させれば、上側における本来の延長機能に加えて、襟部１５の機能を付加できるため、上補助カバー部１４の更なる機能性向上に寄与できるとともに、特に、カバー本体部２に対して上補助カバー部１４を着脱可能に構成すれば、汚れ易い上補助カバー部１４のみを洗濯したり交換することができる。
【００２０】
（７）  好適な態様により、カバー本体部２を構成するに際して、上下方向へ複数の袋部１６，１６…を連結して構成すれば、いわば、キルティング機能を付加できるため、カバー本体部２に対する掛布団Ｆの一方への片寄り（位置ズレ）を有効に防止することができる。
【図面の簡単な説明】
【００２１】
【図１】本発明の好適実施形態に係る掛布団カバーを冬用カバーモードとして使用する際における外観斜視図、
【図２】同掛布団カバーを通常のカバー（非冬用カバーモード）として使用する際における外観斜視図、
【図３】同掛布団カバーを冬用カバーモードとして使用する際の平面から見た使用状態説明図、
【図４】同掛布団カバーを冬用カバーモードとして使用する際の図３中Ａ−Ａ線における側面断面図、
【図５】同掛布団カバーを冬用カバーモードとして使用する際の図３中Ｂ−Ｂ線における正面断面図、
【図６】同掛布団カバーの下連結部の構造を詳細に示す断面図、
【図７】同掛布団カバーの下連結部の構造の変更例を示す断面図、
【図８】同掛布団カバーの各種変更例の説明図、
【図９】同掛布団カバーの上下方向に複数の袋部を連結して構成する変更例を示す平面図、
【図１０】同掛布団カバーの各種使用説明図、
【発明を実施するための形態】
【００２２】
次に、本発明に係る好適実施形態を挙げ、図面に基づき詳細に説明する。
【００２３】
まず、本実施形態に係る掛布団カバー１の構成について、図１〜図８を参照して説明する。
【００２４】
図中、２はカバー本体部を示す。例示のカバー本体部２は、一般的なシングルサイズの掛布団Ｆを収容するサイズを示す。即ち、全体を１５０〔ｃｍ〕×２１０〔ｃｍ〕のサイズにより袋状に構成したものであり、図４に示すように、周囲を縫製した上布部２０ｕと下布部２０ｄを有するとともに、図１に示すように、左辺部２ｐ又は左辺部２ｑの、一方又はその近傍に、ファスナ等により開閉可能な布団出入口２１を有する。なお、カバー本体部２の素材は特定の素材に限定されるものではなく、綿１００％，綿＋ポリエステル等の各種繊維素材を利用することができる。
【００２５】
また、カバー本体部２の足部側に位置する下辺部２ｄに対して、下連結部３を介して下補助カバー部４を連結する。この場合、下連結部３は、連続した一体の連結部として構成してもよいし、着脱可能な連結部として構成してもよい。
【００２６】
下連結部３を、連続した一体の連結部として構成する場合は、図６に示すように、上述したカバー本体部２の上布部２０ｕと下布部２０ｄの上下方向（縦方向）Ｄｖの寸法を、補助カバー部４の寸法分だけ長く形成し、カバー本体部２と補助カバー部４の境界部位（カバー本体部２の下辺部２ｄ）を縫製部２２により縫製することができる。縫製部２２を設けるに際しては、図６に示すように、一カ所に設けてもよいし、図７に示すように、オモテ面側と裏面側の二か所にそれぞれ設けてもよい。なお、図７は、補助カバー部４を形成するに際し、別体の布部４ｅにより形成したものであり、４ｅｕは補助カバー部４の上布部、４ｅｄは補助カバー部４の下布部をそれぞれ示す。図７の場合には、カバー本体部２と補助カバー部４間の無用な隙間空間を無くしてより密着させることができる。図６及び図１において、２３は、補助カバー部４の下辺部４ｄにおける縫製部を示すとともに、２４は、左辺部又は左辺部の、一方又はその近傍に設けた、ファスナ等により開閉可能に構成して布団出入口を示す。
【００２７】
この補助カバー部４も基本的な構成はカバー本体部２と同じであり、袋状に形成することにより内部に掛布団Ｆよりも小さい第二掛布団Ｆｍを収容可能に構成する。このため、補助カバー部４の左右方向Ｄｈの寸法は、カバー本体部２と同じとなるが、上下方向Ｄｖの寸法は、カバー本体部２に対して１０〜７０〔ｃｍ〕の範囲に選定した長さＬｍを下方へ延長可能な寸法を選定することが望ましい。例示の場合、５０〔ｃｍ〕に選定した。
【００２８】
また、図８（ａ），（ｂ）には、下連結部３を、着脱可能な連結部として構成した例を示す。図８（ａ）は、ファスナ２６により着脱可能に構成した例であり、カバー本体部２の下辺部２ｄ又はその近傍に、一方のファスナ半体２６ｍを取付け、補助カバー部４の上辺部４ｕ又はその近傍に、他方のファスナ半体２６ｎを取付けて構成した。図８（ｂ）は、面ファスナ２７により着脱可能に構成した例を示す。図８（ｂ）には、下連結部３を設けた際における違和感を防止するため、下連結部３を覆うことができるバンド状の遮蔽カバー２８を設けた場合を示す。このように、下連結部３は、一体式又は着脱式のいずれも選択実施可能であるため、各種バリエーションにより実施することができる。
【００２９】
加えて、下補助カバー部４の下辺部４ｄには、シート状に形成した下フラップ部１１を設ける。例示の下フラップ部１１は、図１に示すように、下補助カバー部４の左右方向Ｄｈの寸法に対して、２／３程度の寸法となる一枚の矩形状のシートの上辺部１１ｕを下補助カバー部４の下辺部４ｄ又はその近傍に、縫製部２９により縫製して設けた。例示する下フラップ部１１の上下方向Ｄｖの寸法は５０〔ｃｍ〕である。なお、下フラップ部１１を設けるに際しては、図６に示すように、下補助カバー部４を構成する上布部２０ｕの上下方向の寸法を、さらに、下フラップ部１１の寸法分だけ長く形成し、補助カバー部４と下フラップ部１１の境界部位（補助カバー部４の下辺部４ｄ）を前述した縫製部２３を縫製部２９に兼用してもよい。
【００３０】
このように、下補助カバー部４に、当該下補助カバー部４の下辺部４ｄに結合し、かつシート状に形成した下フラップ部１１を設ければ、下補助カバー部４の機能に加えて下フラップ部１１の機能により、下補助カバー部４の下辺部４ｄよりも下方に生じる無用な隙間の発生防止、或いは下フラップ部１１をマットレスの下に挟み込むなどにより下補助カバー部４の位置ズレ防止等に利用できる。したがって、多機能性及び多様性をより高めることができるなど、コストパフォーマンスの高い掛布団カバー１を提供できる。
【００３１】
他方、カバー本体部２の左辺部２ｐ及び右辺部２ｑには、シート状に形成した左フラップ部１２ｐ及び右フラップ部１２ｑをそれぞれ設ける。例示の場合、図１に示すように、カバー本体部２の左辺部２ｐ及び右辺部２ｑと同一寸法となる一枚の矩形状のシートにより形成した左フラップ部１２ｐ及び右フラップ部１２ｑを、それぞれカバー本体部２の左辺部２ｐ及び右辺部２ｑ又はその近傍に、縫製部３１，３２により縫製して設けた。例示する左フラップ部１２ｐ及び右フラップ部１２ｑの左右方向Ｄｈの寸法は３０〔ｃｍ〕である。なお、左フラップ部１２ｐ及び右フラップ部１２ｑを設けるに際しては、上述した下フラップ部１１の場合と同様に、カバー本体部２の上布部２０ｕを左右両方向へ延長して上布部２０ｕに対して連続形成してもよい。
【００３２】
このように、カバー本体部２に、当該カバー本体部２の左辺部２ｐ及び右辺部２ｑに結合し、かつシート状に形成した左フラップ部１２ｐ及び右フラップ部１２ｑを設ければ、カバー本体部２の左方及び右方に生じる無用な隙間の発生防止、或いは左フラップ部１２ｐ及び右フラップ部１２ｑをマットレスの下に挟み込むなどによりカバー本体部２の位置ズレ防止等に利用できるため、使用時における保温性（冷気進入防止）をより高めることができるなど、更なる多機能性及び多様性の向上に寄与できる。
【００３３】
さらに、カバー本体部２の上辺部２ｕには、上連結部１３を介して上補助カバー部１４を連結して設ける。この場合、上連結部１３は、前述した補助カバー部４の場合と同様に連続した一体の連結部として構成してもよいし、着脱可能な連結部として構成してもよい。また、上補助カバー部１４は、図１に示すように、左右に離間して配することにより両方の肩部をそれぞれ覆う一対の分割カバー部１４ｐ，１４ｑにより構成してもよいし、図８（ｃ）に示すように、前述した補助カバー部４と同様に、単一の上補助カバー部１４として構成してもよい。
【００３４】
分割カバー部１４ｐ，１４ｑにより構成する場合、各分割カバー部１４ｐ，１４ｑの基本構成は、前述した補助カバー部４と同様に構成することができる。即ち、分割カバー部１４ｐ（１４ｑも同じ）は、袋状に形成することにより内部に掛布団Ｆよりも小さい第三掛布団Ｆｓを収容可能に構成する。この場合、分割カバー部１４ｐの左右方向Ｄｈの寸法は、カバー本体部２の概ね１／３程度となり、上下方向Ｄｖの寸法は、カバー本体部２に対して、１０〜３０〔ｃｍ〕の範囲に選定した長さＬｓを下方へ延長可能な寸法を選定することが望ましい。例示の場合、２０〔ｃｍ〕に選定した。なお、図１において、３３，３４は、カバー本体部２の上辺部２ｕに対する分割カバー部１４ｐ，１４ｑの縫製部を示すとともに、３５，３６はファスナ等により開閉可能な布団出入口を示す。
【００３５】
また、例示の場合、上補助カバー部１４は、襟部１５の機能を兼用させている。したがって、分割カバー部１４ｐ，１４ｑを構成する布部の素材には、カバー本体部２の素材とは異ならせ、特に、肌触りの良好な素材を選定することが望ましい。さらに、上連結部１３は、着脱可能な連結部として構成することが望ましい。このように、上補助カバー部１４に、襟部１５の機能を兼用させれば、上側における本来の延長機能に加えて、襟部１５の機能を付加できるため、上補助カバー部１４の更なる機能性向上に寄与できるとともに、特に、カバー本体部２に対して上補助カバー部１４を着脱可能に構成すれば、汚れ易い上補助カバー部１４のみを洗濯したり交換することができる。なお、分割カバー部１４ｐと１４ｑ間におけるカバー本体部２には、図１に示すように、分割カバー部１４ｐ（１４ｑ）の布部と同一の素材により形成した襟部シート１５ｕを設けるとともに、この襟部シート１５ｕは、着脱ボタン等により、カバー本体部２に対して着脱可能に設けることが望ましい。
【００３６】
このように、カバー本体部２に、当該カバー本体部２の上辺部２ｕに対して一体又は着脱可能な上連結部１３を介して連結するとともに、袋状に形成することにより内部に掛布団Ｆよりも小さい第三掛布団Ｆｓを収容可能に構成し、カバー本体部に対して１０〜３０〔ｃｍ〕の範囲に選定した長さＬｓを上方へ延長可能な上補助カバー部１４を設ければ、必要に応じて、従来の追加カバーと同様の肩部から頭部側に対する機能を付加することができる。
【００３７】
加えて、上補助カバー部１４を、左右に離間して配することにより両方の肩部をそれぞれ覆う一対の分割カバー部１４ｐ，１４ｑにより構成すれば、首部の部位をそのままカバー本体部２に使用し、その両側に一対の離間した分割カバー部１４ｐ，１４ｑを配することができるため、当該分割カバー部１４ｐ，１４ｑにより肩部のみの露出を有効に防止でき、使用時における肩部の保温性を確保しつつ違和感を回避することができる。
【００３８】
なお、上補助カバー部１４を構成するに際し、図８（ｃ）に示すように、前述した補助カバー部４と同様に、単一の上補助カバー部１４として構成する場合には、上補助カバー部１４の左右方向Ｄｈのサイズをカバー本体部２の左右方向Ｄｈの寸法と同一に選定した点を除いて、分割カバー部１４ｐ（１４ｑ）と同様に構成することができる。特に、図８（ｃ）に示す単一の上補助カバー部１４として構成した場合、柔軟性の高い薄目の第三掛布団Ｆｓを使用すれば、首部に当たる上補助カバー部１４の中央付近に、Ｕ状に押し縮めるＵ形縮み部１５ｃを形成できるため、首部の回りをＵ状に覆うことができる。
【００３９】
その他、図１中、ａｉ−ａｊ，ｂｉ−ｂｊ，ｃｉ−ｃｊ，ｄｉ−ｄｊ，ｅｉ−ｅｊ，ｆｉ−ｆｊ，ｇｉ−ｇｊ，ｈｉ−ｈｊ，ｉｉ−ｉｊ，ｊｉ−ｊｊ，ｋｉ−ｋｊは、それぞれ対となる着脱ボタンの組合わせを示すとともに、図８（ｃ）中、ｍｉ−ｍｊ，ｎｉ−ｎｊは、それぞれ対となる着脱ボタンの組合わせを示す。
【００４０】
他方、図９は、カバー本体部２の変更例を示す。即ち、図９に示す変更例は、上下方向Ｄｖへ複数（例示は、四つ）の袋部１６，１６，１６，１６を連結して構成したものである。具体的には、カバー本体部２を上下方向Ｄｖに等間隔で４分割となるように、三つの縫製部５１，５２，５３を設けるとともに、掛布団Ｆを４分割した四つの小掛布団Ｆｐ…を用意し、それぞれ各袋部１６…に収容できるように構成したものである。このように、カバー本体部２を構成するに際して、上下方向へ複数の袋部１６，１６…を連結して構成すれば、いわば、キルティング機能を付加できるため、カバー本体部２に対する掛布団Ｆの一方への片寄り（位置ズレ）を有効に防止することができる。なお、図９中、６１，６２，６３，６４は、ファスナ等により開閉可能な布団出入口を示す。
【００４１】
次に、本実施形態に係る掛布団カバー１の使用方法について、図１〜図１０を参照して説明する。
【００４２】
掛布団カバー１は、冬用カバーモードＭｗ又は非冬用カバーモード（通常のカバー）Ｍｓに変更して使用することができる。
【００４３】
図１は、冬用カバーモードＭｗとして使用する場合を示す。特に、例示は、全ての着脱ボタンａｉ−ａｊ，ｂｉ−ｂｊ，ｃｉ−ｃｊ…を離脱して使用する場合を示す。まず、使用する際には、図１に示すように、カバー本体部２に対しては、布団出入口２１を通してシングルサイズの掛布団Ｆを収容するとともに、補助カバー部４に対しては、布団出入口２４を通して第二掛布団Ｆｍを収容し、さらに、分割カバー部１４ｐ，１４ｑに対しては、布団出入口３５，３６を通してそれぞれ第三掛布団Ｆｓ，Ｆｓを収容する。これにより、冬用カバーモードＭｗの場合には、図４及び図５に示す断面構造となる。なお、図６（ａ）及び図７（ａ）は、補助カバー部４に対して、第二掛布団Ｆｍを収容した状態を示すとともに、図６（ｂ）及び図７（ｂ）は、第二掛布団Ｆｍを収容しない状態の補助カバー部４を示す。
【００４４】
冬用カバーモードＭｗとして使用する場合、使用者Ｈに対しては、図３に示す位置関係となる。なお、Ｐは枕を示す。同図に示すように、身長の大きい使用者Ｈにとっては、カバー本体部２が実質的に下方へ延長される補助カバー部４の存在により足部Ｈｆの露出が防止される。また、両肩部Ｈｓ，Ｈｓは、分割カバー部１４ｐ，１４ｑにより覆われるため、肩部Ｈｓ，Ｈｓの露出が防止される。さらに、下フラップ部１１を、図３に示すように、そのまま広げた状態にすれば、補助カバー部４とマット（床）間の隙間が防止される。この場合、図１０（ａ）に示すように、マットＥの下面（又はマットＥと敷布団Ｆｄ間）に挟み込んでもよい。同様に、左フラップ部１２ｐ及び右フラップ部１２ｑも、図１０（ｂ）に示すように、そのまま広げた状態にして、カバー本体部２と床（マット）Ｅｆ間の隙間を防止するようにしてもよいし、図１０（ｃ）に示すように、マットＡの下面（又はマットＥと敷布団Ｆｄ間）に挟み込んでもよい。
【００４５】
一方、図２は、非冬用カバーモード（通常のカバー）Ｍｓとして使用する場合を示す。この場合、図１に示した掛布団Ｆのみ収容した状態にし、他は、必要に応じて選択使用することができる。例示の図２は、カバー本体部２以外は全て使用しない場合を示す。即ち、第二掛布団Ｆｍ及び第三掛布団Ｆｓ，Ｆｓは使用しない。
【００４６】
したがって、この場合には、図１に示す着脱ボタンａｉ−ａｊを装着した後、着脱ボタンｂｉ−ｂｊ及びｃｉ−ｃｊを装着する。この後、装着ボタンｄｉ−ｄｊ，ｆｉ−ｆｊ及びｈｉ−ｈｊを装着するとともに、ｅｉ−ｅｊ，ｇｉ−ｇｊ及びｉｉ−ｉｊを装着する。さらに、装着ボタンｊｉ−ｊｊ及びｋｉ−ｋｊを装着すれば、図２の状態にすることができる。特に、襟部１５を有する非冬用カバーモードＭｓとして使用することができる。
【００４７】
よって、このような本実施形態に係る掛布団カバー１によれば、基本的な構成として、カバー本体部２の少なくとも足部側に位置する下辺部２ｄに対して一体又は着脱可能な下連結部３を介して連結するとともに、袋状に形成することにより内部に掛布団Ｆよりも小さい第二掛布団Ｆｍを収容可能に構成し、カバー本体部２に対して１０〜７０〔ｃｍ〕の範囲に選定した長さＬｍを下方へ延長可能な下補助カバー部４を備えるため、身長の大きい人，或いは掛け布団を深く被った場合などであっても、掛布団から足部が露出してしまうなどの不具合を回避できるとともに、加えて、掛布団カバーの上端側（頭部側）には結合部分が存在しないため、使用時に生じる違和感を大きく減じることができ、掛布団本来の良好な使用感を確保できる。
【００４８】
以上、変更例を含む好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４９】
例えば、実施形態では、追加機能として付加した、下補助カバー部４，下フラップ部１１，左フラップ部１２ｐ，右フラップ部１２ｑ，分割カバー部１４ｐ，１４ｑは、全てを使用した冬用カバーモードＭｗ及び全てを使用しない非冬用カバーモードＭｓを示したが、これらは一又は二以上を必要に応じて選択して使用することができる。また、これらは基本的に、カバー本体部２に対して、一体に設けてもよいし、着脱可能に設けてもよい。特に、着脱可能な手段として、ファスナ，面ファスナを例示したが、着脱ボタン等の着脱可能な他の各種連結手段を適用できる。なお、カバー本体部２は、サイズとして、シングルサイズを例示したが、セミダブルサイズ，ダブルサイズ，ワイドダブルサイズ等の各種サイズを適用することができる。
【産業上の利用可能性】
【００５０】
本発明は、袋状に形成することにより内部に掛布団を収容するカバー本体部を備える各種掛布団カバーに利用できる。
【符号の説明】
【００５１】
１：掛布団カバー，２：カバー本体部，２ｄ：下辺部，２ｐ：左辺部，２ｑ：右辺部，２ｕ：上辺部，３：下連結部，４：下補助カバー部，４ｄ：下辺部，１１：下フラップ部，１２ｐ：左フラップ部，１２ｑ：右フラップ部，１３：上連結部，１４：上補助カバー部，１４ｐ：分割カバー部，１４ｑ：分割カバー部，１５：襟部，１６…：袋部，Ｆ：掛布団，Ｆｍ：第二掛布団，Ｆｓ：第三掛布団，Ｌｍ：長さ，Ｌｓ：長さ
【図１】
2020198952.tif 000003
【図２】
2020198952.tif 000004
【図３】
2020198952.tif 000005
【図４】
2020198952.tif 000006
【図５】
2020198952.tif 000007
【図６】
2020198952.tif 000008
【図７】
2020198952.tif 000009
【図８】
2020198952.tif 000010
【図９】
2020198952.tif 000011
【図１０】
2020198952.tif 000012